(57)【特許請求の範囲】
【請求項１】
ＬＡＮ端末を接続するＬＡＮとＷＡＮとをダイヤル接続するダイヤルアップルータと、前記ダイヤルアップルータに接続される電話端末とを有し、ＷＡＮ回線との連続接続を警告するダイヤルアップルータ回線接続警告方式であって、
前記ダイヤルアップルータは、
ＷＡＮ回線と連続して接続されている連続接続時間が、予め設定された連続接続許容時間を超えるかどうかを監視する接続時間監視手段と、
前記接続時間監視手段において前記連続接続時間が前記連続接続許容時間を超えるとき、前記電話端末へ警告音を送る警告音送信制御手段とを有することを特徴とするダイヤルアップルータ回線接続警告方式。
【請求項２】
ＬＡＮ端末を接続するＬＡＮとＷＡＮとをダイヤル接続するダイヤルアップルータと、前記ダイヤルアップルータに接続される電話端末とを有し、ＷＡＮ回線との連続接続を警告するダイヤルアップルータ回線接続警告方式であって、
前記ダイヤルアップルータは、
ＷＡＮ回線と連続して接続されている連続接続時間が、予め設定された連続接続許容時間を超えるかどうかを監視する接続時間監視手段と、
前記接続時間監視手段において前記連続接続時間が前記連続接続許容時間を超えるとき、前記電話端末へ警告音を送る警告音送信制御手段と、
前記電話端末から前記警告音に対する応答が来るかどうかを確認し、前記応答が来ないとき、接続されているＷＡＮ回線を切断するとともに、以降、ＷＡＮ回線の接続を禁止する接続禁止手段とを有することを特徴とするダイヤルアップルータ回線接続警告方式。
【請求項３】
ＬＡＮ端末を接続するＬＡＮとＷＡＮとをダイヤル接続するダイヤルアップルータと、前記ダイヤルアップルータに接続される電話端末とを有し、ＷＡＮ回線との連続接続を警告するダイヤルアップルータ回線接続警告方式であって、
前記ダイヤルアップルータは、
ＷＡＮ回線と連続して接続されている連続接続時間が、予め設定された連続接続許容時間を超えるかどうかを監視する接続時間監視手段と、
前記電話端末へ警告音を送ることができる、予め設定された有効時刻帯を、管理する時刻帯管理手段と、
前記接続時間監視手段において前記連続接続時間が前記連続接続許容時間を超え、且つ、この超える時刻が、前記時刻帯管理手段が管理する前記有効時刻帯内にあるとき、前記電話端末へ警告音を送る警告音送信制御手段と、
前記電話端末から前記警告音に対する応答が来るかどうかを確認し、前記応答が来ないとき、接続されているＷＡＮ回線を切断するとともに、以降、ＷＡＮ回線の接続を禁止する接続禁止手段とを有することを特徴とするダイヤルアップルータ回線接続警告方式。
【請求項４】
前記警告音送信制御手段は、前記接続時間監視手段において前記連続接続時間が前記連続接続許容時間を超える時刻が、前記時刻帯管理手段が管理する前記有効時刻帯内にないとき、前記有効時刻帯が来るまで待機して、前記電話端末へ警告音を送ることを特徴とする請求項３記載のダイヤルアップルータ回線接続警告方式。
【請求項５】
前記ＬＡＮ端末は、前記連続接続許容時間と前記有効時刻帯とをユーザが入力するための設定画面を表示する設定画面表示手段と、設定画面から入力された前記連続接続許容時間と前記有効時刻帯とを、前記ダイヤルアップルータへ送る手段とを有し、前記ダイヤルアップルータは、前記ＬＡＮ端末から、ＬＡＮを介して、前記連続接続許容時間と前記有効時刻帯とを受信して、前記連続接続許容時間を前記接続時間監視手段に設定し、前記有効時刻帯を前記時刻帯管理手段に設定する手段を有することを特徴とする請求項３記載のダイヤルアップルータ回線接続警告方式。
【請求項６】
前記ＬＡＮ端末は、接続禁止解除をユーザが入力するための設定画面を表示する手段と、設定画面から入力された前記接続禁止解除を、前記ダイヤルアップルータへ送る手段とを有し、前記ダイヤルアップルータの接続禁止手段は、前記ＬＡＮ端末から、前記接続禁止解除を受信して、ＷＡＮ回線の接続の禁止を解除することを特徴とする請求項２または３記載のダイヤルアップルータ回線接続警告方式。
【発明の詳細な説明】
【０００１】
【発明の属する技術分野】
本発明は、ＬＡＮとＷＡＮとをダイヤル接続するダイヤルアップルータに関し、特に、回線接続時間を警告する機能を有するダイヤルアップルータに関する。
【０００２】
【従来の技術】
従来の、ＬＡＮ（Ｌｏｃａｌ  Ａｒｅａ  Ｎｅｔｗｏｒｋ）とＷＡＮ（Ｗｉｄｅ  Ａｒｅａ  Ｎｅｔｗｏｒｋ）とをダイヤル接続するダイヤルアップルータは、ＷＡＮ回線と接続した後、予め設定した期間、ＷＡＮ宛のパケットを発生しなかった場合、接続していたＷＡＮ回線を自動的に切断するという自動切断機能を具備している。
【０００３】
【発明が解決しようとする課題】
しかし、ＬＡＮに収容接続されているＬＡＮ端末上で動作するアプリケーションソフトウェアが、一定間隔で、ＷＡＮ宛のパケットを送信し続けた場合、前述の自動切断機能が働かず、ＷＡＮ回線の接続が、ユーザが予期できないほど長く継続するといった事態が発生する。
【０００４】
ＷＡＮ回線の接続が継続している状態を調べるために、ユーザは、ダイヤルアップルータに備わっているＬＥＤ表示画面やＬＣＤ表示画面に表示されている回線接続状態を、自発的に、観察する必要があった。
【０００５】
したがって、ユーザが、観察を怠れば、ＷＡＮ回線の接続が予期できないほど長く継続されていることを知ることができなくなり、この予期できないほど長く継続されている原因を取り除くことが出来なくなるという課題を有する。また、長期で無駄なＷＡＮ回線の接続により通信費用が拡大するというという課題を有する。
【０００６】
本発明の目的は、従来のこの様な課題を解決し、ＷＡＮ回線の接続が、予め定められた時間に亘り継続するとき、ユーザに警告を自動で発生する技術を提供することにある。
【０００７】
【課題を解決するための手段】
本発明のダイヤルアップルータ回線接続警告方式は、
ＬＡＮ端末を接続するＬＡＮとＷＡＮとをダイヤル接続するダイヤルアップルータと、前記ダイヤルアップルータに接続される電話端末とを有し、ＷＡＮ回線との連続接続を警告するダイヤルアップルータ回線接続警告方式であって、
前記ダイヤルアップルータは、
ＷＡＮ回線と連続して接続されている連続接続時間が、予め設定された連続接続許容時間を超えるかどうかを監視する接続時間監視手段と、
前記接続時間監視手段において前記連続接続時間が前記連続接続許容時間を超えるとき、前記電話端末へ警告音を送る警告音送信制御手段とを有することを特徴とする。
【０００８】
また、本発明のダイヤルアップルータ回線接続警告方式は、
ＬＡＮ端末を接続するＬＡＮとＷＡＮとをダイヤル接続するダイヤルアップルータと、前記ダイヤルアップルータに接続される電話端末とを有し、ＷＡＮ回線との連続接続を警告するダイヤルアップルータ回線接続警告方式であって、
前記ダイヤルアップルータは、
ＷＡＮ回線と連続して接続されている連続接続時間が、予め設定された連続接続許容時間を超えるかどうかを監視する接続時間監視手段と、
前記接続時間監視手段において前記連続接続時間が前記連続接続許容時間を超えるとき、前記電話端末へ警告音を送る警告音送信制御手段と、
前記電話端末から前記警告音に対する応答が来るかどうかを確認し、前記応答が来ないとき、接続されているＷＡＮ回線を切断するとともに、以降、ＷＡＮ回線の接続を禁止する接続禁止手段とを有することを特徴とする。
【０００９】
さらに、本発明のダイヤルアップルータ回線接続警告方式は、
ＬＡＮ端末を接続するＬＡＮとＷＡＮとをダイヤル接続するダイヤルアップルータと、前記ダイヤルアップルータに接続される電話端末とを有し、ＷＡＮ回線との連続接続を警告するダイヤルアップルータ回線接続警告方式であって、
前記ダイヤルアップルータは、
ＷＡＮ回線と連続して接続されている連続接続時間が、予め設定された連続接続許容時間を超えるかどうかを監視する接続時間監視手段と、
前記電話端末へ警告音を送ることができる、予め設定された有効時刻帯を、管理する時刻帯管理手段と、
前記接続時間監視手段において前記連続接続時間が前記連続接続許容時間を超え、且つ、この超える時刻が、前記時刻帯管理手段が管理する前記有効時刻帯内にあるとき、前記電話端末へ警告音を送る警告音送信制御手段と、
前記電話端末から前記警告音に対する応答が来るかどうかを確認し、前記応答が来ないとき、接続されているＷＡＮ回線を切断するとともに、以降、ＷＡＮ回線の接続を禁止する接続禁止手段とを有することを特徴とする。
【００１０】
また、本発明のダイヤルアップルータ回線接続警告方式は、
前記警告音送信制御手段が、前記接続時間監視手段において前記連続接続時間が前記連続接続許容時間を超える時刻が、前記時刻帯管理手段が管理する前記有効時刻帯内にないとき、前記有効時刻帯が来るまで待機して、前記電話端末へ警告音を送ることを特徴とする。
【００１１】
さらに、本発明のダイヤルアップルータ回線接続警告方式は、
前記ＬＡＮ端末が、
前記連続接続許容時間と前記有効時刻帯とをユーザが入力するための設定画面を表示する設定画面表示手段と、
設定画面から入力された前記連続接続許容時間と前記有効時刻帯とを、前記ダイヤルアップルータへ送る手段とを有し、
前記ダイヤルアップルータは、前記ＬＡＮ端末から、ＬＡＮを介して、前記連続接続許容時間と前記有効時刻帯とを受信して、前記連続接続許容時間を前記接続時間監視手段に設定し、前記有効時刻帯を前記時刻帯管理手段に設定する手段を有することを特徴とする。
【００１２】
また、本発明のダイヤルアップルータ回線接続警告方式は、
前記ＬＡＮ端末が、
接続禁止解除をユーザが入力するための設定画面を表示する手段と、
設定画面から入力された前記接続禁止解除を、前記ダイヤルアップルータへ送る手段とを有し、
前記ダイヤルアップルータの接続禁止手段は、前記ＬＡＮ端末から、前記接続禁止解除を受信して、ＷＡＮ回線の接続の禁止を解除することを特徴とする。
【００１３】
【発明の実施の形態】
次に、本発明の実施の形態について図面を参照して詳細に説明する。
【００１４】
図１は、本発明の第１実施形態の構成ブロック図である。
【００１５】
図１を参照して、本発明の第１実施形態は、ＬＡＮ（Ｌｏｃａｌ  Ａｒｅａ  Ｎｅｔｗｏｒｋ）に接続されたＬＡＮ端末１と、電話端末２と、ＬＡＮとＷＡＮ（Ｗｉｄｅ  Ａｒｅａ  Ｎｅｔｗｏｒｋ）とをダイヤル接続するダイヤルアップルータ３とを有して構成される。
【００１６】
ＬＡＮ端末１は、ＷＷＷブラウザと表示部と操作部とを有し、ユーザが回線接続時間警告機能をダイヤルアップルータ３に設定するための、ＧＵＩ（Ｇｒａｐｈｉｃａｌ  Ｕｓｅｒ  Ｉｎｔｅｒｆａｃｅ）方式による回線接続時間警告機能設定画面を表示部に表示する。また、ＬＡＮ端末１は、ユーザが回線接続時間警告機能設定画面を利用して操作部から入力した設定データを、ＬＡＮを介してダイヤルアップルータ３へ送る。
【００１７】
電話端末２は、少なくとも送受話器と呼び出しベルとを有する電話機である。
【００１８】
ダイヤルアップルータ３は、ＬＡＮインタフェース部４と、電話インタフェース部５と、ルーティング部６と、ＷＡＮインタフェース部７と、ＷＷＷサーバ部８と、警告音声制御部９と、タイマ部１０と、接続時間監視部１１とを有して構成される。
【００１９】
ＬＡＮインタフェース部４は、ＬＡＮ端末１を収容接続するＬＡＮとインタフェースする。
【００２０】
電話インタフェース部５は、電話端末２を接続し電話端末２を制御する。
【００２１】
ＷＡＮインタフェース部７は、ＷＡＮとインタフェースし、ＷＡＮと接続のための接続手順の実行と、ＷＡＮとデータの送受信をする。
【００２２】
ルーティング部６は、ＬＡＮとＷＡＮと間のデータパケットの流れを制御してルーティング動作を行う。
【００２３】
ＷＷＷサーバ部８は、ｈｔｔｐ（ｈｙｐｅｒｔｅｘｔ  ｔｒａｎｓｆｅｒ  ｐｒｏｔｏｃｏｌ）を使用してＬＡＮ端末１上のＷＷＷブラウザと通信することにより、ＬＡＮ端末１の回線接続時間警告機能設定画面に入力された設定データを受信し、受信した設定データに基づいた指示をタイマ部１０と接続時間監視部１１へ送る。
【００２４】
タイマ部１０は、タイマを有し、ＷＷＷサーバ部８からの指示でタイマ長を設定し、タイマをカウントし、設定されたタイマ長による時間が経過した旨を接続時間監視部１１へ通知する。
【００２５】
接続時間監視部１１は、タイマ部１０からの通知により指定時間の経過を知って警告を発生するよう警告音声制御部９に指示する。
【００２６】
警告音声制御部９は、接続時間監視部１１からの指示を受けると、電話インタフェース部５に対して電話端末２の呼び出しベルの鳴動を指示するとともに、電話インタフェース部５に対して電話端末２に警告音声を送るよう指示する。
【００２７】
次に、本発明の第１実施形態の動作について図面を参照して詳細に説明する。
【００２８】
図１を参照して説明する。
【００２９】
ＬＡＮ端末１は、ＷＷＷブラウザを使用してＷＷＷサーバ部８とデータ通信し、回線接続時間警告機能を設定するための設定画面を表示部に表示する。
【００３０】
この設定画面は、連続接続許容時間値を設定する連続接続時間設定欄を有する。
この連続接続時間設定欄に設定された連続接続許容時間値が０であることは、回線接続時間警告機能を使用しないことを意味する。
また、この連続接続時間設定欄に設定された連続接続許容時間値が０以外の値は、たとえば１０分は、設定された連続接続許容時間値（１０分）以上に亘り、ＷＡＮ回線が連続して接続されていると、警告を発生するための値を意味する。
【００３１】
ユーザは、ＬＡＮ端末１を利用して、回線接続時間警告機能を設定するための設定画面から、０以外の連続接続許容時間値を連続接続時間設定欄に入力する。
【００３２】
ＬＡＮ端末１は、入力された連続接続許容時間値をＷＷＷサーバ部８へ通知する。
【００３３】
ＷＷＷサーバ部８は、ＬＡＮ端末１から連続接続許容時間値を受けると、この連続接続許容時間値をタイマ部１０と接続時間監視部１１へ送る。
【００３４】
タイマ部１０は、ＷＷＷサーバ部８から連続接続許容時間値を受けると、この連続接続許容時間値をタイマ長としてタイマに設定する。
【００３５】
接続時間監視部１１は、ＷＷＷサーバ部８から連続接続許容時間値を受けると、回線接続時間警告機能を有効にし、回線接続時間警告動作を開始する。
【００３６】
ＷＡＮインタフェース部７は、ＷＡＮとの回線が接続されたことを認識すると、回線が接続された旨を示す回線接続通知を接続時間監視部１１へ送る。
【００３７】
接続時間監視部１１は、ＷＡＮインタフェース部７から回線接続通知を受けると、タイマのカウントを開始する開始指示をタイマ部１０へ送る。
【００３８】
タイマ部１０は、接続時間監視部１１から開始指示を受けると、タイマのカウントを開始する。そして、タイマのカウントが連続接続許容時間値に達すると、タイマ部１０は、タイマのカウントが完了した旨を示すタイマカウント完了を接続時間監視部１１へ通知する。
【００３９】
接続時間監視部１１は、タイマ部１０からタイマカウント完了の通知を受けると、警告音声を発生するよう警告音声制御部９に指示する。
【００４０】
警告音声制御部９は、接続時間監視部１１から指示を受けると、電話端末２を呼び出すよう電話インタフェース部５に要求する。
【００４１】
電話インタフェース部５は、警告音声制御部９から要求を受けると、電話端末２の呼び出しベルを鳴動する。
【００４２】
呼び出しベルの鳴動に応じてユーザは、電話端末２の受話器をオフフックする。
【００４３】
電話インタフェース部５は、このオフフックを検出すると、電話端末２の呼び出しベルを停止し、そして、電話端末２への呼び出しが完了した旨を示す呼び出し完了を警告音声制御部９へ通知する。
【００４４】
警告音声制御部９は、呼び出し完了の通知を受けると、連続接続許容時間値により示される時間以上に回線が接続され続けていることを警告する警告音声メッセージを電話端末２に向けて流す。
【００４５】
ユーザは、警告音声メッセージによる警告音声を電話端末２から聞き、ＷＡＮの回線が、連続接続許容時間値以上の間、接続されていることを知る。
【００４６】
また、一方、接続時間監視部１１が、ＷＡＮインタフェース部７から回線接続通知を受け、タイマ部１０に対してタイマのカウントを開始する開始指示を送り、そして、タイマ部１０からタイマカウント完了の通知を受け取る前に、ＷＡＮインタフェース部７からＷＡＮ回線の切断通知を受けた場合は、接続時間監視部１１は、タイマ部１０に対してタイマのカウントを停止する停止指示を送る。
【００４７】
タイマ部１０は、停止指示を受けると、タイマのカウントを停止する。
【００４８】
接続時間監視部１１は、タイマのカウントが停止したことを知ると、その動作を中断する。
【００４９】
このように、回線接続時間が、設定された連続接続許容時間値に達しない場合は、接続時間監視部１１は、警告音声制御部９への警告音声を発生する指示をださない。
【００５０】
以上説明したように、予め設定された連続接続許容時間値を超えてＷＡＮ回線の接続が継続された旨を、電話端末を呼び出して通知するため、ユーザが自発的に回線接続状態を観察しなくて済む。
【００５１】
また、警告機能によって予期せぬ回線接続継続の発生を知ったユーザが適切な措置を行って回線接続継続原因を取り除くことにより、無駄な回線接続による通信費用の増大を防ぐことができる。
【００５２】
次に、本発明の第２実施形態について説明する。
【００５３】
図２は、本発明の第２実施形態の構成ブロック図である。
第２実施形態は、第１実施形態と同様に、ＬＡＮ端末１と、電話端末２と、ダイヤルアップルータ３１とを有して構成される。
【００５４】
第２実施形態のダイヤルアップルータ３１は、第１実施形態のダイヤルアップルータ３を構成するＬＡＮインタフェース部４と電話インタフェース部５とＷＡＮインタフェース部７とＷＷＷサーバ部８と警告音声制御部９とタイマ部１０と接続時間監視部１１とに、さらに加えて、接続禁止制御部１２を有して構成される。
【００５５】
接続禁止制御部１２は、ＷＡＮ回線の接続の禁止またはＷＡＮ回線の接続の許可を制御する。
【００５６】
図２を参照して、第２実施形態の動作を説明する。
【００５７】
第１実施形態において、警告音声制御部９は、連続接続許容時間値により示される時間以上にＷＡＮ回線が接続され続けていることをユーザに警告するため、電話端末２を呼び出すよう電話インタフェース部５に要求し、この要求を受けた電話インタフェース部５は、電話端末２の呼び出しベルを鳴動するが、ユーザが応答しなかった場合、ＷＡＮ回線の接続は継続されたままになってしまう。
【００５８】
そこで、第２実施形態では、ユーザが呼び出しベルの鳴動に応じなかった場合に対処できるよう、第１実施形態をさらに工夫している。
【００５９】
第２実施形態の動作の説明は、電話インタフェース部５が電話端末２の呼び出しベルを鳴動する所から始める。これ以前の動作は、第１実施形態と同じである。
【００６０】
電話インタフェース部５は、警告音声制御部９から要求を受けると、電話端末２の呼び出しベルを鳴動する。
【００６１】
つづいて、電話インタフェース部５は、ユーザが呼び出しベルの鳴動に応じるかどうかを監視し、予め定められた時間内にユーザが電話端末２の呼び出しベル鳴動に応じなかった場合は、電話端末の呼び出しを失敗した旨の呼び出し失敗通知を警告音声制御部９に伝達する。
【００６２】
警告音声制御部９は、電話インタフェース部５から呼び出し失敗通知を受けると、ＷＡＮ回線の接続を禁止するよう接続禁止制御部１２に指示する。
【００６３】
接続禁止制御部１２は、警告音声制御部９から指示を受けると、ＷＡＮインタフェース部７に対して、現在接続されているＷＡＮ回線を切断するよう指示するとともに、以降、ＷＡＮ回線の接続を禁止するよう指示する。
【００６４】
ＷＡＮインタフェース部７は、接続禁止制御部１２から指示を受けると、現在接続されているＷＡＮ回線を切断するとともに、以降、ＷＡＮ回線の接続を禁止し続ける。
【００６５】
ＷＡＮ回線の接続の禁止を解除するには、ユーザは、ＬＡＮ端末１のＷＷＷブラウザからＷＷＷサーバ部８にアクセスし、ＧＵＩ方式の回線接続禁止解除のための回線接続禁止解除設定画面をＬＡＮ端末１の表示部に表示し、そして、この回線接続禁止解除設定画面に、回線接続禁止解除を入力して設定する。
【００６６】
ＬＡＮ端末１は、入力された回線接続禁止解除をＷＷＷサーバ部８へ送る。
【００６７】
ＷＷＷサーバ部８は、ＬＡＮ端末１から受けた回線接続禁止解除を、接続禁止制御部１２へ伝達する。
【００６８】
接続禁止制御部１２は、ＷＷＷサーバ部８から回線接続禁止解除を受けると、ＷＡＮインタフェース部７に対して、ＷＡＮ回線の接続の許可を指示する。
【００６９】
ＷＡＮインタフェース部７は、接続禁止制御部１２から指示を受けると、ＷＡＮ回線接続の許可状態となる。
【００７０】
以上述べたように、第２実施形態は、警告すべき状態が発生した時にユーザが不在であった場合の非常措置として回線接続を禁止し、連続接続による通信費用増大を防ぐことができる。
【００７１】
次に、本発明の第３実施形態について説明する。
【００７２】
図３は、本発明の第３実施形態の構成ブロック図である。
【００７３】
第３実施形態は、第１実施形態と同様に、ＬＡＮ端末１と、電話端末２と、ダイヤルアップルータ３２とを有して構成される。
【００７４】
第３実施形態のダイヤルアップルータ３２は、第１実施形態のダイヤルアップルータ３を構成するＬＡＮインタフェース部４と電話インタフェース部５とＷＡＮインタフェース部７とＷＷＷサーバ部８と警告音声制御部９とタイマ部１０と接続時間監視部１１とに、さらに加えて、時刻帯管理部１３を有して構成される。
【００７５】
時刻帯管理部１３は、時計と有効時刻帯記憶部とを有し、現在の時刻が回線接続時間警告機能の有効時刻帯であるかどうかを判断し、この判断結果を接続時間監視部１１へ通知する。
【００７６】
接続時間監視部１１は、時刻帯管理部１３からの判断結果を受けて、警告音声制御部９に警告音声の発生をするよう指示する。
【００７７】
図３を参照して、第３実施形態の動作を説明する。
【００７８】
ＬＡＮ端末１は、ＷＷＷブラウザを使用してＷＷＷサーバ部８とデータ通信して、回線接続時間警告機能を設定するための回線接続時間警告機能設定画面と、回線接続時間警告機能の有効時刻帯を設定するための有効時刻帯設定画面とを表示部に表示する。
【００７９】
ユーザは、ＬＡＮ端末１を利用して、回線接続時間警告機能設定画面から０以外の連続接続許容時間値を入力し、そして、有効時刻帯設定画面から回線接続警告機能の有効時刻帯を入力する。
【００８０】
ＬＡＮ端末１は、入力された連続接続許容時間値と有効時刻帯とをＷＷＷサーバ部８へ送る。
【００８１】
ＷＷＷサーバ部８は、ＬＡＮ端末１から連続接続許容時間値と有効時刻帯とを受けると、受信された連続接続許容時間値をタイマ部１０と接続時間監視部１１へ送り、有効時刻帯を時刻帯管理部１３へ送る。
【００８２】
時刻帯管理部１３は、受信した有効時刻帯を有効時刻帯記憶部に記憶する。
【００８３】
タイマ部１０は、ＷＷＷサーバ部８から連続接続許容時間値を受けると、この連続接続許容時間値をタイマ長としてタイマに設定する。
【００８４】
接続時間監視部１１は、ＷＷＷサーバ部８から連続接続許容時間値を受けると、回線接続時間警告機能を有効にし、回線接続時間警告動作を開始する。
【００８５】
ＷＡＮインタフェース部７は、ＷＡＮとの回線接続を認識すると、回線接続通知を接続時間監視部１１へ送る。
【００８６】
接続時間監視部１１は、ＷＡＮインタフェース部７からの回線接続通知を受けると、タイマのカウントを開始する開始指示をタイマ部１０へ送る。
【００８７】
タイマ部１０は、接続時間監視部１１から開始指示を受けると、タイマのカウントを開始する。そして、タイマのカウントが連続接続許容時間値に達すると、タイマ部１０は、タイマのカウントが完了した旨を示すタイマカウント完了を接続時間監視部１１へ通知する。
【００８８】
接続時間監視部１１は、タイマカウント完了の通知を受けると、現在の時刻が回線接続時間警告機能の有効時刻帯であるかどうかの有効時刻帯問い合わせを時刻帯管理部１３へ送る。
【００８９】
時刻帯管理部１３は、接続時間監視部１１からの有効時刻帯問い合わせを受けると、時計が示す時刻と有効時刻帯記憶部に記憶されている有効時刻帯とを比較する。そして、時計が示す時刻が、有効時刻帯であるとき、時刻帯管理部１３は、現在の時刻が有効時刻帯である旨を接続時間監視部１１へ通知する。
【００９０】
接続時間監視部１１は、時刻帯管理部１３から、現在の時刻が有効時刻帯である旨の通知を受けると、警告音声を発生するよう警告音声制御部９に指示する。
【００９１】
警告音声制御部９は、接続時間監視部１１から指示を受けると、電話端末２を呼び出すよう電話インタフェース部５に要求する。
【００９２】
電話インタフェース部５は、警告音声制御部９から要求を受けると、電話端末２の呼び出しベルを鳴動する。
【００９３】
一方、時刻帯管理部１３は、接続時間監視部１１からの有効時刻帯問い合わせを受けて、時計が示す現在の時刻が、有効時刻帯でない場合、時計の時刻を監視し、時計が示す時刻が有効時刻帯に入ったとき、現在の時刻が有効時刻帯である旨を接続時間監視部１１へ通知する。
【００９４】
接続時間監視部１１は、時刻帯管理部１３から、現在の時刻が有効時刻帯である旨を受けると、警告音声を発生するよう警告音声制御部９に指示する。
【００９５】
警告音声制御部９は、接続時間監視部１１から指示を受けると、電話端末２を呼び出すよう電話インタフェース部５に要求する。
【００９６】
電話インタフェース部５は、警告音声制御部９から要求を受けると、電話端末２の呼び出しベルを鳴動する。
【００９７】
以上述べたように、第３実施形態は、時刻帯を管理して制御する機能を有しているので、ユーザが不在である夜間の時間帯と、ＷＡＮ回線の接続が継続されても正常あると見なされる時間帯とにおいて、警告表示をあえて停止させることができる。
【００９８】
【発明の効果】
以上説明したように、本発明は、予め設定された連続接続許容時間値を超えてＷＡＮ回線の接続が継続された旨の警告を、電話端末を呼び出してユーザに通知するよう構成されているので、ユーザが自発的に回線接続状態を観察しなくても、ユーザにＷＡＮ回線の接続の継続をユーザに通知することができるという効果がある。
【００９９】
また、本発明は、警告によって予期せぬ回線接続継続の発生をユーザに通知するよう構成されているので、ユーザが適切な措置を行って回線接続継続原因を取り除くことにより、無駄な回線接続による通信費用の増大を防ぐことができるという効果がある。
【０１００】
さらに、本発明は、警告すべき状態が発生した時にユーザが不在であった場合の非常措置として回線接続を禁止するよう構成されているので、連続接続による通信費用の増大を防ぐことができるという効果がある。
【０１０１】
またさらに、本発明は、警告を発生する時間帯を制御するよう構成されているので、ユーザが不在である夜間の時間帯と、ＷＡＮ回線の接続が継続されても正常あると見なされる時間帯とにおいて、警告表示をあえて停止させることができるという効果がある。
【図面の簡単な説明】
【図１】本発明の第１実施形態の構成ブロック図である。
【図２】本発明の第２実施形態の構成ブロック図である。
【図３】本発明の第３実施形態の構成ブロック図である。
【符号の説明】
１    ＬＡＮ端末
２    電話端末
３、３１、３２    ダイヤルアップルータ
４    ＬＡＮインタフェース部
５    電話インタフェース部
６    ルーティング部
７    ＷＡＮインタフェース部
８    ＷＷＷサーバ部
９    警告音声制御部
１０    タイマ部
１１    接続時間監視部
１２    接続禁止制御部
１３    時刻帯管理部
【図１】
0003586650.tif 000002
【図２】
0003586650.tif 000003
【図３】
0003586650.tif 000004